(57)【要約】【課題】光ディスク毎に最適な分解能やダイナミックレンジで高精度のパワー制御可能な光ディスク記録／再生装置のレーザパワー制御方法を提供する。【解決手段】光ディスク１０１にピックアップ１０２の半導体レーザからレーザビームを照射して情報の記録／再生を行なう光ディスク記録／再生装置は、半導体レーザの発光量を制御するパワーＤＡＣ指令値を発生するレーザドライバ１０５を備えており、このパワーＤＡＣ指令値に対する半導体レーザの発光量を決定するための値を、製品出荷調整時に、例えばＭＰＵの不揮発性記録装置に記憶しており、その後、光ディスクに情報を記録する際には、記憶された値により、装置に挿入されたディスク媒体の感度や倍速に対応して傾きＤＡＣを設定する。【選択図】      図１
2004273012.tif 000002
【特許請求の範囲】
【請求項１】
円盤状の光ディスク情報記録媒体にレーザ発光手段からの所定の強度のレーザビームを照射して情報の記録／再生を行なう光ディスク記録／再生装置であって、少なくとも、前記レーザ発光手段を駆動するための指令信号を発生するための手段と、前記指令信号発生手段からの指令信号に対する前記レーザ発光手段の発光特性を決定するための特性値を記憶する手段と、前記記憶手段に記憶された特性値を基に、前記光ディスク媒体へ情報を記録する際の前記レーザ発光手段への指令信号に対する前記レーザ発光手段の発光特性を設定する手段とを備えていることを特徴とする光ディスク記録／再生装置。
【請求項２】
前記請求項１に記載した光ディスク記録／再生装置において、前記記憶手段に記憶される特性値は、前記指令信号の所定の単位に対する前記レーザ発光手段の発光量の変化分を決定するものであることを特徴とする光ディスク記録／再生装置。
【請求項３】
前記請求項２に記載した光ディスク記録／再生装置において、前記記憶手段に記憶される特性値は、前記レーザ発光手段を駆動するため指令信号の傾きＤＡＣ値であることを特徴とする光ディスク記録／再生装置。
【請求項４】
前記請求項３に記載した光ディスク記録／再生装置において、前記レーザ発光手段を駆動するため指令信号の傾きＤＡＣ値は、前記光ディスク媒体に必要とされる最大パワーを許容できるように設定されることを特徴とする光ディスク記録／再生装置。
【請求項５】
前記請求項１に記載した光ディスク記録／再生装置において、前記記憶手段に記憶される特性値は、予め得られた値であることを特徴とする光ディスク記録／再生装置。
【請求項６】
円盤状の光ディスク情報記録媒体にレーザ発光手段からの所定の強度のレーザビームを照射して情報の記録／再生を行なう光ディスク記録／再生装置のためのレーザパワー制御方法であって、レーザ発光手段を駆動するために発生される指令信号に対する前記レーザ発光手段の発光特性を決定するための特性値を予め記憶し、前記装置が光ディスク媒体へ情報を記録する際、前記記憶手段にされた特性値を基に、前記レーザ発光手段への指令信号に対する前記レーザ発光手段の発光特性を設定することを特徴とするレーザパワー制御方法。
【請求項７】
前記請求項６に記載したレーザパワー制御方法において、前記レーザ発光手段の発光特性の設定を、前記装置が光ディスク媒体へ情報を記録する前に実行することを特徴とするレーザパワー制御方法。
【請求項８】
前記請求項６に記載したレーザパワー制御方法において、前記記憶される特性値は、前記指令信号の所定の単位に対する前記レーザ発光手段の発光量の変化分を決定するものであることを特徴とするレーザパワー制御方法。
【請求項９】
前記請求項８に記載したレーザパワー制御方法において、前記記憶手段に記憶される特性値は、前記レーザ発光手段を駆動するため指令信号の傾きＤＡＣ値であることを特徴とするレーザパワー制御方法。
【請求項１０】
前記請求項９に記載したレーザパワー制御方法において、前記レーザ発光手段を駆動するため指令信号の傾きＤＡＣ値は、前記光ディスク媒体に必要とされる最大パワーを許容できるように設定されることを特徴とするレーザパワー制御方法。
【発明の詳細な説明】
【０００１】
【発明の属する技術分野】
本発明は、円盤状の光ディスクと呼ばれる情報記憶媒体に光ビームを照射して記録情報を記録又は再生する光ディスク記録／再生装置に関わり、特に、光ディスクに照射するレーザの光ビームを高精度に制御可能な光ディスク記録／再生装置とそのためのレーザパワー制御方法に関わる。
【０００２】
【従来の技術】
円盤状の光ディスクと呼ばれる情報記憶媒体に光ビームを照射して記録情報を記録又は再生する光ディスク記録／再生装置では、例えば、相変化等を利用することによって情報記録が可能な、所謂、相変化型の光ディスクに対し、通常、記録情報の再生のための比較的低いパワーの光ビーム、及び、記録又は消去（イレーズ）のための比較的高いパワーの光ビームの、２つのパワーレベルの光ビームを使い分け、記録情報の記録／再生を行なっている。そのため、かかる光ディスク記録／再生装置の出荷時や調整時には、特定（固定）の分解能での傾きＤＡＣ値を求めておき、使用媒体である種々のＤＶＤ、ＣＤの各々に対して、この固定の分解能の傾きＤＡＣを用いて、情報の記録を行なっていた。なお、従来では、下記特許文献１によれば、かかる切り替え可能な２系統のＡＰＣ（オートパワーコントロール）を有する装置は既に知られている。
【０００３】
また、従来においては、発光させたいパワーを正確かつ高速に制御する手段として、発光素子であるレーザダイオード（ＬＤ）の発光効率を決定する前記傾きＤＡＣを用いることによって、任意に発光効率（発光させたいパワー）を算出して得るものが、例えば、下記特許文献２により既に知られている。
【０００４】
一方、近年においては、ＣＤ−Ｒ／ＷＲをはじめとする追記／上書き記録が可能なＣＤやＭＤに加え、更には、ＤＶＤ等の映像情報を含む大量な情報が記録可能な高密度記録の光ディスクが利用されてきており、加えて、かかる記録の高密度化と共に、高速記録（即ち、倍速化）の傾向が著しい。このように、複数種の媒体の出現と倍速化とに伴って、光ディスク記録／再生装置では、高精度な記録品質を達成するため、記録情報の再生、記録又は消去（イレーズ）のためのレーザパワーの制御を、使用媒体（光ディスク）の感度や倍速に応じて、最適に制御する必要がある。
【０００５】
【特許文献１】
特開２００２−１５８３９６号公報
【特許文献２】
特開２００１−３１９３５７号公報
【０００６】
【発明が解決しようとする課題】
すなわち、近年においては、感度の異なる複数の媒体に対して、複数の倍速で記録する場合、必要とされる記録パワーが大きく異なってきており、そのため、上述した従来技術のように、固定（一定）の傾きＤＡＣにより得られるダイナミックレンジでは、これに対応することは不可能となってきている。すなわち、記録動作の際に実行されるランニングＯＰＣ（Ｏｐｔｉｍｕｍ  Ｐｏｗｅｒ  Ｃａｌｉｂｒａｔｉｏｎ）やライトＡＰＣ（Ａｕｔｏｍａｔｉｃ  Ｐｏｗｅｒ  Ｃｏｎｔｒｏｌ）において発光パワーを微調整する場合には、固定（一定）の傾きＤＡＣにより得られる一定の分解能やダイナミックレンジでは、倍速や媒体毎にパワーの変化率が異なる制御に最適に対応することは、困難であった。
【０００７】
そこで、本発明では、上述した従来技術における問題点に鑑み、すなわち、情報が記録される光ディスクの感度や倍速に対応し、レーザパワー制御の分解能やダイナミックレンジを細かく制御し、もって、高精度な記録品質を達成することの可能な光ディスク記録／再生装置、及び、そのためのレーザパワー制御方法を提供することを目的とする。
【０００８】
【課題を解決するための手段】
本発明によれば、上記の目的を達成するため、まず、円盤状の光ディスク情報記録媒体にレーザ発光手段からの所定の強度のレーザビームを照射して情報の記録／再生を行なう光ディスク記録／再生装置であって、少なくとも、前記レーザ発光手段を駆動するための指令信号を発生するための手段と、前記指令信号発生手段からの指令信号に対する前記レーザ発光手段の発光特性を決定するための特性値を記憶する手段と、前記記憶手段に記憶された特性値を基に、前記光ディスク媒体へ情報を記録する際の前記レーザ発光手段への指令信号に対する前記レーザ発光手段の発光特性を設定する手段とを備えている光ディスク記録／再生装置が提供される。
【０００９】
なお、本発明では、前記に記載した光ディスク記録／再生装置において、前記記憶手段に記憶される特性値は、予め得られた値である。
【００１０】
また、本発明によれば、やはり上記の目的を達成するため、円盤状の光ディスク情報記録媒体にレーザ発光手段からの所定の強度のレーザビームを照射して情報の記録／再生を行なう光ディスク記録／再生装置のためのレーザパワー制御方法であって、レーザ発光手段を駆動するために発生される指令信号に対する前記レーザ発光手段の発光特性を決定するための特性値を予め記憶し、前記装置が光ディスク媒体へ情報を記録する際、前記記憶手段にされた特性値を基に、前記レーザ発光手段への指令信号に対する前記レーザ発光手段の発光特性を設定するレーザパワー制御方法が提供される。
【００１１】
なお、本発明では、前記記憶手段に記憶される特性値は、前記指令信号の所定の単位に対する前記レーザ発光手段の発光量の変化分を決定するものであり、より具体的には、前記レーザ発光手段を駆動するため指令信号の傾きＤＡＣ値である。そして、この傾きＤＡＣ値は、前記光ディスク媒体に必要とされる最大パワーを許容できるように設定される。
【００１２】
すなわち、本発明によれば、光ディスク記録／再生装置毎に、その出荷調整時に傾きＤＡＣ増減分による発光効率変化を取得し、これを不揮発性メモリに格納しておく。その後、装置へ媒体を搭載した場合、記録倍速に応じて最適な傾きＤＡＣを算出して設定する。更には、その後のＯＰＣ（Ｏｐｔｉｍｕｍ  Ｐｏｗｅｒ  Ｃａｌｉｂｒａｔｉｏｎ）の実行の際に最適記録パワーを決定し、さらには、その後、最適な分解能に応じて傾きＤＡＣを算出し設定するものである。より具体的には、算出される傾きＤＡＣに対する発光効率や傾きＤＡＣのＸ切片の係数を、不揮発性メモリに格納しておき、媒体及び倍速毎に発光効率を制御する。
【００１３】
【発明の実施の形態】
以下、本発明の実施の形態について、添付の図面を用いて詳細に説明する。
まず、添付の図２は、本発明の一実施の形態になる光ディスク記録／再生装置の構成の詳細を示すブロック図であり、図において、符号１０１は、光学的情報記録媒体である光ディスクを示しており、より具体的には、ＣＤ−Ｒ／ＲＷなどの追記／上書き記録が可能な光ディスクである。なお、本発明では、この光ディスクはＣＤ−Ｒ／ＲＷだけに限らず、その他、例えばＤＶＤやＭＤ等のディスクも含めた追記／上書き記録が可能なディスクも含まれることは言うまでもない。
【００１４】
また、図中の符号１０２は、ピックアップ（ヘッド）であり、具体的には、半導体レーザ、光学系、フォーカシングアクチュエ−タ、トラッキングアクチュエータ、フォトディテクタ、レンズポジションセンサ等で構成される。また、図中の符号１０３は、上記ディスク１０１を回転駆動するためのモータである、所謂、スピンドルモータである。
【００１５】
さらに、図において、符号１０４は、上記ヘッドからの電流出力をモニタして電圧に変換するＩ−Ｖアンプであり、符号１０５は、上記ピックアップ１０２の半導体レーザを駆動制御するためのレーザドライバを示す。なお、このレーザドライバ１０５は、入力されたＮＲＺＩ信号を発光波形に変換し、半導体レーザのパワーレベル、又は／及び、発光パルス幅の制御を行う。
【００１６】
また、１０６はモータドライバであり、上記のスピンドルモータ１０３を駆動制御する。すなわち、このモータドライバ１０６は、ＣＡＶ制御時には、後に述べるスピンドル制御回路１１１から入力される倍速に応じた一定周波数を電圧変換し、スピンドルモータ１０３を駆動する。一方、ＣＬＶ制御時には、上記スピンドル制御回路１１１から入力されるウォブル信号周期に基づいて生成された可変周波数を電圧変換して、スピンドルモータ１０３を駆動する。
【００１７】
一方、図中の符号１０７は、アナログ信号処理回路を示しており、この処理回路は、フォーカスエラーやトラッキングエラー信号に基づいて、フォーカシングアクチュエータやトラッキングアクチュエータの制御を行う。また、符号１０８はアナログ信号処理回路であり、上記のＩ−Ｖアンプ１０４からの入力を演算し、フォーカスエラー信号、トラッキングエラー信号、そして、プッシュプル信号を生成するものである。
【００１８】
また、符号１０９は、反射光処理部であり、ランニングＯＰＣ（Ｏｐｔｉｍｕｍ  Ｐｏｗｅｒ  Ｃａｌｉｂｒａｔｉｏｎ）に用いる反射光を処理する。すなわち、反射光の増減からレーザドライバヘ設定するパラメータを微調整する。１１０は記録パルス発生器であり、以下に説明するエンコーダ１１５から入力される変調データから、ＮＲＺＩを生成して上記レーザドライバ１０５ヘ出力する。
【００１９】
上記にも述べたスピンドル制御回路１１１は、図示しないウォブル信号発生器や固定周期発生器からの入力により、ドライバ駆動のための周波数を生成する。また、アシンメトリ処理部１１２は、アナログ信号処理回路１０７からのＲＦ信号から、記録パワー毎のベータ（β）を作成する。すなわち、ＯＰＣ時には、このベータ（β）をもとに、レーザ光の最適パワーレベルを決定する。また、イコライザ１１３は、ＲＦ信号の波形等化を実施する。
【００２０】
また、上記にも述べたウォブル処理部１１４は、上記アナログ信号処理回路１０７で生成されたプッシュプル信号から、ウォブル周期を作成する。なお、このウォブル周期は、記録クロックの生成やスピンドル制御にも使用される。加えて、セクタ内のシンクフレームタイミングも、このウォブル周期で作成することが可能である。
【００２１】
次に、図中の符号１１５は、所謂、エンコーダであり、このエンコーダにより記録データを８／１６変調する。また、符号１１６で示すＰＬＬは、二値化信号からチャネルクロックを生成し、符号１１７で示す二値化回路は、上記のＲＦ信号を二値化する。さらに、符号１１８で示すデコーダは、上記ＰＬＬ１１６が作成したチャネルクロックにより上記二値化信号をデコードし、もって、データを復調するものである。
【００２２】
最後に、図中に符号１１９で示すＭＰＵは、上記に述べた各回路ヘクロックや制御信号の供給を行なうと共に、割り込み信号の処理やファームウェアの制御等を行い、もって、装置全体の動作を制御するものである。また、このＭＰＵ１１９は、レーザ駆動電流を制御する上記レーザドライバ１０５を、その内部に格納したソフトウェアに基づいて管理し、もって、所定の機能を実現している。
【００２３】
そして、本発明では、上記にその構成の一例を説明した光ディスク記録／再生装置は、装置毎の出荷調整時に、傾きＤＡＣの増減による発光効率の変化分を測定（検出）し、その結果を、例えば、ＭＰＵに内蔵した不揮発性メモリ等の記憶装置に格納している。
【００２４】
これは、一般に、パワーＤＡＣの指令値（例えば、全２２５ステップ）に対する半導体レーザの発光量との関係は、例えば、添付の図３に示すグラフに示すようになる。すなわち、レーザドライバは、パワーＤＡＣ指令値に対して直線的に発光量を制御することが可能であり、例えば、図のパワーＤＡＣ指令値「Ｄａ」に対して、「Ｅａ」の発光量が得られることとなる。そこで、本発明では、上記特性Ｅｍ１の傾きＡ１である、傾きＤＡＣを、装着された光ディスクの種類やその倍速に対応して設定するものである。すなわち、この傾きＤＡＣは、パワーＤＡＣ指令値の１ステップ（＝傾きＤＡＣの増減）に対する発光量の変化分（＝発光効率の変化分）を表しており、この傾きＤＡＣの値を自在に設定可能とすることによれば、その種類や感度、倍速等により、それぞれ異なる要求発光量に対して最適なダイナミックレンジを得ると共に、必要な分解能をも同時に確保することが可能になる。
【００２５】
但し、この図３のグラフからも明らかなように、記録時にはＡＰＣ駆動電流であるＣａｐｃと高周波重畳によるＣｈｆの差分である、所謂、記録時ベース電流Ｃｗｔが定常的に流れ込むため、図に「Ｅｍ１」で示すような電流−発光特性を示すこととなる。また、上記のＡＰＣ駆動電流であるＣａｐｃは、通常、読み出し時のリードパワーレベルとして設定されているので、リードパワー＝Ｘ１という図式が成り立ち、そこで、このＸ１をオフセットとする（以下、「Ｘオフセット」と呼ぶ）ことにより、パワーＤＡＣ指令値に対するリニアな半導体レーザによる発光を実現することが可能である。
【００２６】
このように、レーザドライバからの上記記録時ベース電流Ｃｗｒよりも高いパワーＤＡＣ指令値の領域での傾きは、上記特性Ｅｍ１の傾き（図の「Ａ１」）、すなわち、傾きＤＡＣの値により制御することが可能となる。
【００２７】
次に、添付の図４のグラフには、上記Ｅｍ１の傾きＤＡＣから、異なる傾きＥｍ２の傾きＤＡＣに変更する場合の一例を示している。このグラフからも明らかように、傾きＤＡＣの値（傾き）を変化させることにより、発光効率（パワーＤＡＣ指令値の１ステップに対する発光量の変化分）と共に、上記のＸオフセットも変化する。そこで、この傾きダック値の変化分（傾きの変化分）を△Ｓ、Ｘオフセットの変化分を△Ｏとすれば、以下の関係式が成り立つ。
ｘ＝傾きＤＡＣ値        （数１）
ΔＳ＝Ａｘ＋Ｂ          （数２）
ΔＯ＝Ｃｘ＋Ｄ          （数３）
【００２８】
すなわち、予め、例えば出荷時等の初期調整時に、これらの係数Ａ、Ｂ、Ｃ、Ｄを計測（検出）して不揮発性メモリに格納することによれば、その後、任意の傾きΔＳを実現する傾きＤＡＣと共に、それに対応したＸオフセットが、何時でも、再計算することが出来ることとなる。すなわち、出荷調整時には、装置毎に、傾きＤＡＣの特性（傾き＝分解能＝ΔＳ）をΔＳ＝Ａｘ＋Ｂ（ｘ＝傾きＤＡＣ値）の形式で保存する。一方、この傾きＤＡＣとＡＰＣ駆動電流との交差点の特性（＝ΔＯ）は、ΔＯ＝Ｃｘ＋Ｄの形式で保存する。
【００２９】
次に、上記に構成を説明した光ディスク記録／再生装置における記録情報の記録時における動作について、添付の図１を参照しながら説明する。
【００３０】
図１のフローチャートにおいて、光ディスク記録／再生装置は、まず、光ディスクをマウントした（媒体挿入）を確認（ステップＳ１１）した後、挿入された光ディスクのＡＴＩＰに記載されているマニュファクチュアコードを読み出し、情報記録時におけるディスクの回転速度である記録倍速を決定する（ステップＳ１２）。その後、この読み出した記録倍速に応じて暫定の傾きＤＡＣを設定する（ステップＳ１３）。
【００３１】
以下の表１には、その具体的な一例として、上記パワーＤＡＣ指令値が「０」〜「ＦＦｈ」の範囲で設定可能なレーザドライバにおける最大（出力可能）パワーの値を、上記の傾きＤＡＣ値、効率（パワーＤＡＣ指令値の１ステップに対する発光量の変化分）、Ｘオフセットと共に示している。
【表１】
2004273012.tif 000003
なお、ここでは、ＡＰＣ駆動電流＝０．７ｍＷとして最大パワーを算出した。また、この時の効率、傾きＤＡＣ、そして、Ｘオフセットは、上記の式（数１）〜（数３）によって、以下のように求められる。
【００３２】
ｘ＝傾きＤＡＣ値
効率＝０．００１５ｘ＋０．０２４５
Ｘオフセット＝−０．０６８４ｘ＋１９．２
【００３３】
また、以下の表２には、媒体及び倍速に応じた最適パワーの一例を示している。なお、ここでは、例えば、ＣＤ−Ｒ媒体であるＡ、Ｂ、Ｃに対する最適記録パワーが、その倍速毎に示されている。この表からも明らかなように、媒体と共に、その倍速毎に、必要となる最適パワーが異なっていることが分かる。
【表２】
2004273012.tif 000004
【００３４】
このように、傾きＤＡＣ値を、適宜、選択することにより、感度や倍速等によって媒体毎に個別に異なる必要な最大パワーを、適宜、最適な値に設定することが可能となる。すなわち、高精度の記録品質を達成するためには、上述したように、最適パワーを許容できるタイナミックレンジを、レーザドライバに対して設定する必要がある。しかしながら、従来技術では、上記の傾きＤＡＣ値が固定であることから、必要なダイナミックレンジが大きくなると、分解能が低下してしまい、そのため、低いパワー領域しか用いない記録動作の場合には、好ましくない。そこで、媒体の最適パワー毎に、個別にタイナミックレンジを設定することが好ましいことが分かる。
【００３５】
そして、本発明では、再び、上記図１のフローチャートに戻り、記録動作の際に実行されるＯＰＣ（Ｏｐｔｉｍｕｍ  Ｐｏｗｅｒ  Ｃａｌｉｂｒａｔｉｏｎ）を実施して（ステップＳ１４）、最適記録パワーを決定する。
【００３６】
このＯＰＣでは、通常、パワーを最適パワーの５０〜１５０％まで走査して最適パワーを求めることから、例えば、２４倍速の場合、上記の表２で示された媒体Ａの最適パワー４４ｍＷの１５０％を実現するために、最大６６ｍＷのパワーを出す必要がある。そこで、上記の表１から６６ｍＷを出力するためには、傾きダック値としてＡ０ｈ以上を選択する必要がある。そして、この場合、パワーＤＡＣの分解能（効率）は０．２７ｍＷ／ｓｔｅｐとなる。
【００３７】
その後、上記で求めた最適パワーから、必要な最適分解能に応じて、上記傾きＤＡＣを再計算して求め（ステップＳ１５）、そして、記録動作を開始する（ステップＳ１６）ものである。
【００３８】
より具体的には、ここで、例えば、最適記録パワーが３６ｍＷと求められた場合、記録動作中の半導体レーザの温度上昇によるパワー低下の補正の許容範囲を、例えば２０％として、最大４３．２ｍＷのパワーを出力できればよいこととなる。ここで、再び、上記の表１より、分解能（効率）０．１８ｍＷ／ｓｔｅｐの場合には、上記の式（数１）〜（数３）に基づいて、以下の傾きＤＡＣが得られる。
【００３９】
傾きＤＡＣ＝（０．１８−０．０２４５）／０．００１５＝１０４
Ｘオフセット＝−０．０６８４ｘ傾きＤＡＣ＋１９．２＝１２
最大パワー＝（２５５−１２）ｘ０．１８＝４３．７ｍＷ
【００４０】
これにより、分解能（効率）０．１８ｍＷ／ｓｔｅｐで、最大パワー４３．７ｍＷの保証が可能となる。すなわち、以上のステップによれば、媒体の搭載後、その感度や記録倍速に応じ、最適な傾きＤＡＣ値を算出して設定することが可能となる。さらには、これによれば、最適な傾きＤＡＣ値が得られていることから、その後に記録動作しながら実行されるランニングＯＰＣ（Ｏｐｔｉｍｕｍ  Ｐｏｗｅｒ  Ｃａｌｉｂｒａｔｉｏｎ）においても、より最適な情報記録動作のための条件を得ることが可能となる。
【００４１】
なお、ＯＰＣ開始時には、次の記録倍速に応じて、所定の分解能となる傾きＤＡＣを仮設定し、ＯＰＣを実施することが好ましい。また、最適な傾きＤＡＣ値を設定する際には、ＯＰＣ終了後に分解能が最適パワーに対して一定の割合になるような傾きＤＡＣを設定することが好ましい。
【００４２】
また、上記の実施の形態では、上記のステップＳ１３で、読み出した記録倍速に応じて暫定の傾きＤＡＣを設定した後、更に、上記のステップＳ１４やＳ１５において、ＯＰＣを実施して最適な傾きＤＡＣ値を算出して設定することとしているが、しかしながら、本発明はこれのみに限定されるものではなく、分解能の決定（最適な傾きＤＡＣ値の設定）は、倍速毎に粗野に決めて（即ち、上記ステップＳ１３での暫定の傾きＤＡＣ値の設定）、ＯＰＣ結果を反映しない方法でも良い。
【００４３】
このように、本発明の光ディスク記録／再生装置におけるレーザパワー制御方法によれば、必要な最大パワーに応じて分解能を決定することが可能であるため、ライトＡＰＣやランニングＯＰＣなどの細かいパワー算定を行う場合にも有効である。また、所望の分解能を決定するために必要な傾きＤＡＣは、初期調整時に、上述した傾きを式として記憶するため、再度、初期調整をする手間が要らない手段である。
【００４４】
【発明の効果】
以上の詳細な説明からも明らかなように、本発明になる光ディスク記録／再生装置、及びそのレーザパワー制御方法によれば、情報が記録される各種の光ディスクの感度や倍速に最適に対応し、レーザパワー制御の分解能やダイナミックレンジを細かく制御し、もって、高精度な記録品質を達成することの可能な光ディスク記録／再生装置、及び、そのためのレーザパワー制御方法を提供することが可能となる。また、最適な分解能やダイナミックレンジの設定が可能となることから、その後のライトＡＰＣ（Ａｕｔｏｍａｔｉｃ  Ｐｏｗｅｒ  Ｃｏｎｔｒｏｌ）やランニングＯＰＣ（Ｏｐｔｉｍｕｍ  Ｐｏｗｅｒ  Ｃａｌｉｂｒａｔｉｏｎ）において発光パワーを微調整する場合にも、媒体自体で異なるレーザパワーの制御にもより高精度に対応することが可能となるという優れた効果を発揮する。
【図面の簡単な説明】
【図１】本発明の光ディスク記録／再生装置における特徴である記録情報の記録時における動作を説明するためのフローチャート図である。
【図２】上記本発明の光ディスク記録／再生装置の内部構成を示すブロック図である。
【図３】本発明の原理を説明するため、パワーＤＡＣの指令値に対する半導体レーザの発光量との関係を示す説明図である。
【図４】やはり、本発明の原理を説明するため、パワーＤＡＣの指令値に対する半導体レーザの発光量との関係を示す説明図である。
【符号の説明】
１０１  光ディスク
１０２  ピックアップ（ヘッド）
１０５  レーザドライバ
１１０  記録パルス発生器
１１９  ＭＰＵ
【図１】
2004273012.tif 000005
【図２】
2004273012.tif 000006
【図３】
2004273012.tif 000007
【図４】
2004273012.tif 000008